(57)【要約】      （修正有）【課題】パッキング装置に対する不適当な推力による操作を防止し、水ブロック或いは防水効果を確保できる防水シャッターパッキング力指示カーソル器を提供する。【解決手段】防水シャッターパッキング力指示カーソル器２０は、パネル柱のパネルレール槽内の入り口封鎖ラバーストリップと同側に取り付けられる。水ブロックパネル板はパネルレール槽内に入り、パッキング装置の操作により圧迫棒が水ブロックパネル板の板面を入り口封鎖ラバーストリップと密着させ、ウオータータイトを形成する。カーソル棒６０の延伸セクション６２の前端が一緒に、水ブロックパネル板により收納室内へと押され、バネ５０の圧縮動作により、カーソル棒の延伸セクション上の標示記号６３が、取り付けシート３０のレベル面３３に対応し、圧迫力の大きさの判断参考及び指示を行う。【選択図】図３
0003209471.tif 000002
【実用新案登録請求の範囲】
【請求項１】
防水シャッターパッキング力指示カーソル器は、パネル柱上に取り付けられるパッキング力指示カーソル器で、少なくとも取り付けシート、收納筒、バネ及びカーソル棒を備え、
該取り付けシートは、シート体身部に、連接部を備え、しかも中心には、穿棒孔を設置し、該穿棒孔の入口には、レベル面を形成し、
該收納筒の筒体内部には、收納室を備え、該收納室の出口端には、該取り付けシートの連接部と接続するジョイントを設置し、
該バネは、該收納筒の收納室内に取り付けられ、
該カーソル棒の棒体は、該取り付けシートの穿棒孔内に通して設置され、一端は該收納筒の收納室内に伸び入り、しかも押しロック部を設置し、
該押しロック部は、該バネの弾性作用端に押され、該取り付けシートの連接部端面上にストップし、これにより棒体反対端は該穿棒孔から一距離の伸び出しを呈し、延伸セクションを形成し、しかも該延伸セクションの棒体身部上には、少なくとも１個の標示記号を設置することを特徴とする防水シャッターパッキング力指示カーソル器。
【請求項２】
前記取り付けシートは、該連接部と該レベル面との間に、ボルト形体を呈する外ネジヤマセクションを形成することを特徴とする請求項１に記載の防水シャッターパッキング力指示カーソル器。
【請求項３】
前記取り付けシートの連接部上には、外ネジヤマを備え、
該收納筒のジョイントは、該連接部に相対したナット形体を呈し、内ネジヤマセクションを備えることを特徴とする請求項１に記載の防水シャッターパッキング力指示カーソル器。
【請求項４】
前記パッキング力指示カーソル器は、手動挿板式水シャッターのパネル柱上に取り付けられ、しかも該パネル柱の上下端位置に、少なくとも１個のパッキング力指示カーソル器をそれぞれ設置し、
カーソル棒上標示記号と該レベル面の対応変化により、入り口封鎖ラバーストリップの受圧変形量或いはパッキング力を指示できることを特徴とする請求項１に記載の防水シャッターパッキング力指示カーソル器。
【請求項５】
前記パッキング力指示カーソル器は、電動水シャッターのパネル柱上に取り付けられ、
カーソル棒上標示記号と該レベル面の対応変化により、入り口封鎖ラバーストリップの受圧変形量或いはパッキング力を指示できることを特徴とする請求項１に記載の防水シャッターパッキング力指示カーソル器。
【請求項６】
前記パッキング力カーソル指示器は、パネル柱上に取り付けられ、
該カーソル棒の一端には、標示棒を設置し、該標示棒は延伸して、該收納筒の底部に貫通し、該パネル柱の貫通孔から外界に露出し、しかも該標示棒の棒体身部上には、少なくとも１個の標示記号を備えることを特徴とする請求項１に記載の防水シャッターパッキング力指示カーソル器。
【請求項７】
前記カーソル棒の棒体上には、少なくとも標示面を形成し、該標示記号を、該標示面上に形成し、しかも該取り付けシートの穿棒孔は、該カーソル棒の棒体形状に相対した穿孔であることを特徴とする請求項１に記載の防水シャッターパッキング力指示カーソル器。
【請求項８】
前記カーソル棒の一端には、延伸して、該收納筒收納室内に入るスクリューセクションを備え、しかも該押しロック部は、該スクリューセクション上に螺合し、該バネに押し上げられるネジカバーであることを特徴とする請求項１に記載の防水シャッターパッキング力指示カーソル器。
【考案の詳細な説明】
【技術分野】
【０００１】
本考案は防水シャッターパッキング力指示カーソル器に関し、特に水ブロックパネル板が入り口封鎖ラバーストリップに密着し、パッキング力の過大或いは過小を防止でき、水ブロック或いは防水効果の正常な発揮を確保できる水シャッターパッキング力指示カーソル器に関する。
【背景技術】
【０００２】
世界的な気侯変動が原因で、台風、洪水などの自然災害が頻繁に発生し、人々の生命や財産に損失を生じている。
防水シャッターの使用により、洪水の室内や地下室への浸入をいくらかは減らし損失を低減することができる。  
【０００３】
従来の防水シャッターには、手動挿板式防水シャッター（特許文献１）及び電動式防水シャッター（特許文献２）などがある。
これらは手動或いは電動のパッキング装置を運用し、片側パッキング棒或いは圧迫棒推進パネル柱或いはパネルレール内水ブロック板或いは防水パネル板を操作し、ウオータータイトラバーストリップ或いは入り口封鎖ラバーストリップ上を圧迫し、パッキング後のウオータータイトラバーストリップ或いは入り口封鎖ラバーストリップを利用して、水ブロック板或いは防水パネル板の端板面上にウオータータイト状態を形成し、室内或いは地下室への浸水を防止する効果を達成するものである。
【０００４】
手動式であろうと電動式であろう、防水シャッターはパネル板の板面を利用し、ラバーストリップを圧迫する時に生じる変形軟弾性により浸水防止の機能を達成する。
しかし、ラバーストリップがパネル板の圧迫を受ける際、パッキング力が過大であれば、不適当な変形が生じ、ウオータータイト効果に影響が及び、パッキング力が過小であれば、ウオータータイト効果を失ってしまう恐れがある。
【０００５】
従来の手動式防水シャッター或いは電動式防水シャッターにおいて、ラバーストリップに対するパネル板の圧迫には、パネル板がラバーストリップを圧迫する過程で参考とできる科学的な指標が全くない。
そのため、経験を頼りにパッキング装置を操作するしかないため、防水効果を失ってしまうリスクが存在する。
【０００６】
特に、手動式防水シャッターでは、一般にパネル柱外の上下に配列するスクリュー（ダイヤル）を回して、側パッキング棒を操作し、ストップパネル板をウオータータイトラバーストリップ上へと押し、圧迫ウオータータイトを形成するため、スクリューを回す際の手の感覚に頼るしかなく、水ブロックパネル板で、ウオータータイトラバーストリップ上をフラットに圧迫するのは非常に難しい。
これにより、ウオータータイトラバーストリップの上下各部では、圧迫力差により水漏れの状況がしばしば生じる。
本考案は、従来の防水シャッターの上記した欠点に鑑みてなされたものである。
【先行技術文献】
【特許文献】
【０００７】
【特許文献１】台湾実用新案登録第Ｍ４７１４７２号
【特許文献２】台湾実用新案登録第Ｍ４６１６８４号
【特許文献３】特開２０１６−１６９５２２号
【考案の概要】
【考案が解決しようとする課題】
【０００８】
本考案が解決しようとする課題は、防水シャッターパッキング力指示カーソル器を提供することである。
【課題を解決するための手段】
【０００９】
上記課題を解決するため、本考案は下記の防水シャッターパッキング力指示カーソル器を提供する。
該防水シャッターパッキング力指示カーソル器は、パネル柱上に取り付けられるパッキング力指示カーソル器で、少なくとも取り付けシート、收納筒、バネ及びカーソル棒を備え、該取り付けシートは、シート体身部に、連接部を備え、しかも中心には、穿棒孔を設置し、該穿棒孔の入口には、レベル面を形成し、該收納筒の筒体内部には、收納室を備え、該收納室の出口端には、該取り付けシートの連接部と接続するジョイントを設置し、該バネは、該收納筒の收納室内に取り付けられる。
該カーソル棒の棒体は、該取り付けシートの穿棒孔内に通して設置され、一端は該收納筒の收納室内に伸び入り、しかも押しロック部を設置し、該押しロック部は、該バネの弾性作用端に押され、該取り付けシートの連接部端面上にストップし、これにより棒体反対端は該穿棒孔から一距離の伸び出しを呈し、延伸セクションを形成し、しかも該延伸セクションの棒体身部上には、少なくとも１個の標示記号を設置し、パッキング力指示カーソル器が、パネル柱のパネルレール槽内において、入り口封鎖ラバーストリップと同側に取り付けを完成されると、水ブロックパネル板は、パネルレール槽内に入り、パッキング装置の操作を通して、圧迫棒により、該水ブロックパネル板の板面を、入り口封鎖ラバーストリップ上へと密着させ、ウオータータイトの過程を形成する。
該カーソル棒の延伸セクション前端は一緒に、水ブロックパネル板により、該收納室内へと押され、バネの圧縮動作を生じ、これにより、パッキング装置の圧迫棒は、水ブロックパネル板に入り、入り口封鎖ラバーストリップを圧迫し、ウオータータイト性を生じさせ、該カーソル棒の延伸セクション上の標示記号により、該取り付けシートのレベル面に対応し、圧迫力の大きさの参考及び指示とし、これにより、パッキング装置に対する不適当な推力による操作を効果的に防止し、水ブロック或いは防水効果の正常な発揮を確保することができる。
【００１０】
上記課題を解決するため、本考案は下記の防水シャッターパッキング力指示カーソル器を提供する。
本考案による防水シャッターパッキング力指示カーソル器において、該取り付けシートは、該連接部と該レベル面との間に、ボルト形体を呈する外ネジヤマセクションを形成し、該パネル柱のパネルレール槽内片側には、ネジ孔を設置し、これにより該取り付けシートの外ネジヤマセクションにより、該ネジ孔上に螺合して固定され、パッキング力指示カーソル器は、パネル柱上に簡単に取り付けられる。
【００１１】
上記課題を解決するため、本考案は下記の防水シャッターパッキング力指示カーソル器を提供する。
本考案による防水シャッターパッキング力指示カーソル器において、該取り付けシートの連接部上には、外ネジヤマを備え、該收納筒のジョイントは、該連接部に相対して、ナット形体を呈し、内ネジヤマセクションを備え、該内ネジヤマセクションを該連接部上に螺合して固定することで、收納筒を取り付けシートの連接部上に簡単に連接して固定できる。
【００１２】
上記課題を解決するため、本考案は下記の防水シャッターパッキング力指示カーソル器を提供する。
本考案による防水シャッターパッキング力指示カーソル器において、該パッキング力指示カーソル器は、手動挿板式水シャッターのパネル柱上に取り付けられ、しかも該パネル柱の上下端位置に、少なくとも１個のパッキング力指示カーソル器をそれぞれ設置すると、カーソル棒上標示記号と該レベル面の対応変化により、入り口封鎖ラバーストリップの受圧変形量或いはパッキング力を指示することができ、これにより、パネル柱上パッキング装置の各独立形式側パッキングスクリューの、水ブロックパネル板に対する推進の過程では、パッキング力指示カーソル器の指示に基づき、各水ブロックパネル板の一端板面を揃って平坦に制御し、しかも入り口封鎖ラバーストリップ上を平均に圧迫し、良好なウオータータイト効果を達成することができる。
【００１３】
上記課題を解決するため、本考案は下記の防水シャッターパッキング力指示カーソル器を提供する。
本考案による防水シャッターパッキング力指示カーソル器において、該パッキング力指示カーソル器は、電動水シャッターのパネル柱上に取り付けられ、カーソル棒上標示記号と該レベル面の対応変化により、入り口封鎖ラバーストリップの受圧変形量或いはパッキング力を指示することができ、これにより、パネル柱上電動パッキング装置の圧迫棒の、水ブロックパネル板に対する推進動作において、パッキング力指示カーソル器の指示に基づき、水ブロックパネル板一端板面の、入り口封鎖ラバーストリップに対するパッキング力を調整し、良好で正常なウオータータイト効果を達成することができる。
【００１４】
上記課題を解決するため、本考案は下記の防水シャッターパッキング力指示カーソル器を提供する。
本考案による防水シャッターパッキング力指示カーソル器において、該パッキング力カーソル指示器は、パネル柱上に取り付けられ、該カーソル棒の一端には、標示棒を設置し、該標示棒は延伸して、該收納筒の底部に貫通し、該パネル柱の貫通孔から外界に露出し、しかも該標示棒の棒体身部上には、少なくとも１個の標示記号を備え、水ブロックパネル板の一端板面が、入り口封鎖ラバーストリップ上で圧迫し、カーソル棒の延伸セクションに対して圧迫縮入動作を生じると、標示棒の外界に露出する伸長動作により、パネル柱外面より標示棒上の標示記号の位置変化を検視でき、入り口封鎖ラバーストリップの受圧パッキング力の大きさを便利に判断できる。
【００１５】
上記課題を解決するため、本考案は下記の防水シャッターパッキング力指示カーソル器を提供する。
本考案による防水シャッターパッキング力指示カーソル器において、該カーソル棒の棒体上には、少なくとも標示面を形成し、該標示記号を、該標示面上に形成し、しかも該取り付けシートの穿棒孔は、該カーソル棒の棒体形状に相対した穿孔で、該カーソル棒が穿棒孔内に通して設置され、軸方向の伸縮移動を行うと、穿棒孔によりカーソル棒に対する回転を制限でき、これによりカーソル棒の標示面上標示記号は、一致した検視角度を長期間保持でき、指示を行うことができる。
【００１６】
上記課題を解決するため、本考案は下記の防水シャッターパッキング力指示カーソル器を提供する。
本考案による防水シャッターパッキング力指示カーソル器において、該カーソル棒の一端には、延伸して、該收納筒收納室内に入るスクリューセクションを備え、しかも該押しロック部は、該スクリューセクション上に螺合し、該バネに押し上げられるネジカバーで、該押しロック部の、該スクリューセクション上における螺合位置を変えることで、該カーソル棒延伸セクションが、該穿棒孔から伸び出す距離を調整でき、これにより延伸セクション上の標示記号と該レベル面の指示レベルとは、該押しロック部の回転により、無段階調整が行われる。
【考案の効果】
【００１７】
本考案の防水シャッターパッキング力指示カーソル器は、水ブロックパネル板が入り口封鎖ラバーストリップに密着し、パッキング力の過大或いは過小を防止でき、水ブロック或いは防水効果の正常な発揮を確保できる。
【図面の簡単な説明】
【００１８】
【図１】本考案をパネル柱に用いる取り付け前の分解立体図である。
【図２】図１のＡ部の構造拡大模式図である。
【図３】本考案の構造立体分解図である。
【図４】本考案をパネル柱上に取り付ける断面構造図である。
【図５】図４のＢ部の構造拡大模式図である。
【図６】本考案によるカーソル棒が水ブロックパネル板により押された時の状態模式図である。
【図７】本考案をパネル柱の上下に取り付け、水ブロックパネル板により押された時の状態模式図である。
【図８】図７のＣ部の構造拡大模式図である。
【図９】本考案を電動水シャッターのパネル柱上に取り付けた断面構造図である。
【図１０】図９のＤ部の構造拡大模式図である。
【図１１】本考案を電動水シャッターのパネル柱上に取り付け、水ブロックパネル板により押された時の状態模式図である。
【図１２】図１１のＥ部の構造拡大模式図である。
【図１３】本考案によるカーソル棒標示記号調整の状態模式図である。
【考案を実施するための形態】
【００１９】
以下に図面を参照しながら本考案を実施するための最良の形態について詳細に説明する。
【実施例】
【００２０】
防水シャッターパッキング力指示カーソル器は、図１、２、３、４、５に示すように、パネル柱１０上に取り付けられるパッキング力指示カーソル器２０で、少なくとも取り付けシート３０、收納筒４０、バネ５０及びカーソル棒６０を備える。
【００２１】
該取り付けシート３０は、シート体身部に、連接部３１を備え、しかも中心には、穿棒孔３２を設置し、該穿棒孔３２の入口には、レベル面３３を形成する。
【００２２】
該收納筒４０の筒体内部には、收納室４１を備え、該收納室４１の出口端には、該取り付けシート３０の連接部３１と接続するジョイント４２を設置する。
該バネ５０は、該收納筒４０の收納室４１内に取り付けられる。
該カーソル棒６０の棒体は、該取り付けシート３０の穿棒孔３２内に通して設置され、一端は該收納筒４０の收納室４１内に伸び入る。
【００２３】
しかも、押しロック部６１を設置し、該押しロック部６１は、該バネ５０の弾性作用端に押され、該取り付けシート３０の連接部３１端面上にストップし、これにより棒体反対端は該穿棒孔３２から一距離の伸び出しを呈し、延伸セクション６２を形成する。
しかも、該延伸セクション６２の棒体身部上には、少なくとも１個の標示記号６３を設置する（一組の標線記号などである）。
【００２４】
図４、５に示すように、パッキング力指示カーソル器２０が、パネル柱１０のパネルレール槽１１内において、入り口封鎖ラバーストリップ７０と同側に取り付けを完成されると、図６、７、８に示すように、水ブロックパネル板８０は、パネルレール槽１１内に入り、パッキング装置９０の操作を通して、圧迫棒９２により、該水ブロックパネル板８０の板面を、入り口封鎖ラバーストリップ７０上へと密着させ、ウオータータイトの過程を形成する。
該カーソル棒６０の延伸セクション６２前端はいっしょに、水ブロックパネル板８０により、該收納室４１内へと押され、バネ５０の圧縮動作を生じる。
【００２５】
これにより、パッキング装置９０の圧迫棒９２は、水ブロックパネル板８０に入り、入り口封鎖ラバーストリップ７０を圧迫し、ウオータータイト性を生じさせ、該カーソル棒６０の延伸セクション６２上の標示記号６３により、該取り付けシート３０のレベル面３３に対応し、圧迫力の大きさの参考及び指示とする。
これにより、パッキング装置９０に対する不適当な推力による操作を効果的に防止し、水ブロック或いは防水効果の正常な発揮を確保することができる。
【００２６】
上述の実施形態に基づき、図１、２、３、４、５に示すように、該取り付けシート３０は、該連接部３１と該レベル面３３との間に、ボルト形体を呈する外ネジヤマセクション３４を形成する。
該パネル柱１０のパネルレール槽１１内片側には、ネジ孔１２を設置し、これにより該取り付けシート３０の外ネジヤマセクション３４により、該ネジ孔１２上に螺合して固定され、パッキング力指示カーソル器２０は、パネル柱１０上に簡単に取り付けられる。
【００２７】
上述の実施形態に基づき、図３、５に示すように、該取り付けシート３０の連接部３１上には、外ネジヤマを備える。
該收納筒４０のジョイント４２は、該連接部３１に相対して、ナット形体を呈し、内ネジヤマセクション４３を備える。
該内ネジヤマセクション４３を該連接部３１上に螺合して固定することで、收納筒４０を取り付けシート３０の連接部３１上に簡単に連接して固定できる。
【００２８】
上述の実施形態に基づき、図１に示すように、該パッキング力指示カーソル器２０は、手動挿板式水シャッターのパネル柱１０上に取り付けられる。
【００２９】
しかも、該パネル柱１０の上下端位置に、少なくとも１個のパッキング力指示カーソル器２０をそれぞれ設置すると、図７、８に示すように、カーソル棒６０上標示記号６３と該レベル面３３の対応変化により、入り口封鎖ラバーストリップ７０の受圧変形量或いはパッキング力を指示することができる。
これにより、パネル柱１０上パッキング装置９０の各独立形式側パッキングスクリュー９１の、水ブロックパネル板８０に対する推進の過程では、パッキング力指示カーソル器２０の指示に基づき、各水ブロックパネル板８０の一端板面を揃って平坦に制御し、しかも入り口封鎖ラバーストリップ７０上を平均に圧迫し、良好なウオータータイト効果を達成することができる。
【００３０】
上述の実施形態に基づき、図９、１０に示すように、該パッキング力指示カーソル器２０Ａは、電動水シャッターのパネル柱１０Ａ上に取り付けられ、カーソル棒６０A上標示記号６３と該レベル面３３の対応変化により、入り口封鎖ラバーストリップ７０Aの受圧変形量或いはパッキング力を指示することができる。
【００３１】
図１１、１２に示すように、これによりパネル柱１０Ａ上電動パッキング装置９０Ａの圧迫棒９２の、水ブロックパネル板８０Ａに対する推進動作において、パッキング力指示カーソル器２０Ａの指示に基づき、水ブロックパネル板８０Ａ一端板面の、入り口封鎖ラバーストリップ７０Ａに対するパッキング力を調整し、良好で正常なウオータータイト効果を達成することができる。
【００３２】
上述の実施形態に基づき、図９、１０に示すように、該パッキング力カーソル指示器２０Ａは、パネル柱１０Ａ上に取り付けられる。
該カーソル棒６０Ａの一端には、標示棒６４を設置し、該標示棒６４は延伸して、該收納筒４０の底部に貫通し、該パネル柱１０Ａの貫通孔１３から外界に露出し、回転モーター４１の回転軸上に固定される。
しかも、該標示棒６４の棒体身部上には、少なくとも１個の標示記号６３Ａ（一組の標線記号などである）を備える。
【００３３】
図１１、１２に示すように、水ブロックパネル板８０Ａの一端板面が、入り口封鎖ラバーストリップ７０Ａ上で圧迫し、カーソル棒６０Ａの延伸セクション６２Ａに対して圧迫縮入動作を生じると、標示棒６４の外界に露出する伸長動作により、パネル柱１０Ａ外面より標示棒６４上の標示記号６３Ａの位置変化を検視でき、入り口封鎖ラバーストリップ７０Ａの受圧パッキング力の大きさを便利に判断できる。
【００３４】
上述の実施形態に基づき、図３に示すように、該カーソル棒６０の棒体（非円形棒体）上には、少なくとも標示面６５を形成し、該標示記号６３を、該標示面６５上に形成し、しかも該取り付けシート３０の穿棒孔３２は、該カーソル棒６０の棒体形状に相対した穿孔である。
【００３５】
図５、８に示すように、カーソル棒６０が穿棒孔３２内に通して設置され、軸方向の伸縮移動を行うと、穿棒孔３２によりカーソル棒６０に対する回転を制限でき、これによりカーソル棒６０の標示面６５上標示記号６３は、一致した検視角度を長期間保持でき、指示を行うことができる。
【００３６】
上述の実施形態に基づき、図３、４、５に示すように、該カーソル棒６０の一端には、延伸して、該收納筒４０收納室４１内に入るスクリューセクション６６を備え、しかも該押しロック部６１は、該スクリューセクション６６上に螺合し、該バネ５０に押し上げられるネジカバーである。
【００３７】
図５、１３に示すように、該押しロック部６１の、該スクリューセクション６６上における螺合位置を変えることで、該カーソル棒６０延伸セクション６２が、該穿棒孔３２から伸び出す距離を調整できる。
これにより、延伸セクション６２上の標示記号６３と該レベル面３３の指示レベルとは、該押しロック部６１の回転により、無段階調整が行われる。
【００３８】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００３９】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００４０】
１０、１０Ａ  パネル柱
１１  パネルレール槽
１２  ネジ孔
１３  貫通孔
２０、２０Ａ  パッキング力指示カーソル器
３０  取り付けシート
３１  連接部
３２  穿棒孔
３３  レベル面
３４  外ネジヤマセクション
４０  收納筒
４１  收納室
４２  ジョイント
４３  内ネジヤマセクション
５０  バネ
６０、６０Ａ  カーソル棒
６１  押しロック部
６２、６２Ａ  延伸セクション
６３、６３Ａ  標示記号
６４  標示棒
６５  標示面
６６  スクリューセクション
７０、７０Ａ  入り口封鎖ラバーストリップ
８０、８０Ａ  水ブロックパネル板
９０、９０Ａ  パッキング装置
９１  スクリュー
９２  圧迫棒
【図１】
0003209471.tif 000003
【図２】
0003209471.tif 000004
【図３】
0003209471.tif 000005
【図４】
0003209471.tif 000006
【図５】
0003209471.tif 000007
【図６】
0003209471.tif 000008
【図７】
0003209471.tif 000009
【図８】
0003209471.tif 000010
【図９】
0003209471.tif 000011
【図１０】
0003209471.tif 000012
【図１１】
0003209471.tif 000013
【図１２】
0003209471.tif 000014
【図１３】
0003209471.tif 000015